(57)【要約】【課題】簡易な方法で正確に倒壊危険範囲を判定することができる倒壊範囲判定器を提供する。【解決手段】垂直に保持されると共に上端部がゴム栓１で閉止され、且つ少なくとも一部が透明な第１の垂直管体９、及び第２の垂直管体４と、各垂直管体４、９の下部に夫々両端部を連通接続された連設管体５と、密封空間である第１の垂直管体９及び第２の垂直管体４、並びに連設管体５内部に適量充填された液体７と、第１の垂直管体９及び第２の垂直管体４の各透明部に夫々形成されて液体７の規定液位を示す第１の液位目印６、及び第２の液位目印３と、第１の垂直管体９の上部から垂直方向へ伸縮自在に支持された伸縮部材８と、を備えて構成されている。【選択図】図１
2012107951.tif 000002
【特許請求の範囲】
【請求項１】
測定対象物が倒壊したときに、該倒壊による危険の有無を判定する倒壊範囲判定器であって、
垂直に保持されると共に上端部が閉止され、且つ少なくとも一部が透明な第１の垂直管体、及び第２の垂直管体と、前記各垂直管体の下部に夫々両端部を連通接続された連設管体と、密封空間である前記第１及び第２の垂直管体、並びに前記連設管体内部に適量充填された液体と、前記第１及び第２の垂直管体の各透明部に夫々形成されて前記液体の規定液位を示す第１の液位目印、及び第２の液位目印と、前記第１の垂直管体の上部から垂直方向へ伸縮自在に支持された伸縮部材と、を備え、
前記第１及び第２の垂直管体内の液体の各液位が前記第１の液位目印及び第２の液位目印と一致した時に、前記第１及び第２の垂直管体が垂直姿勢になるように構成されており、
前記第１の液位目印と前記第２の液位目印との間の直線距離に対する、前記第１の液位目印と前記伸縮部材先端部との間の直線距離が、所定の比率になるように設定したことを特徴とする倒壊範囲判定器。
【請求項２】
前記連設管体は、伸縮自在に構成されていることを特徴とする請求項１に記載の倒壊範囲判定器。
【請求項３】
前記第２の垂直管体には、測定者のヘルメットに固定するための固定部が設けられていることを特徴とする請求項１又は２に記載の倒壊範囲判定器。
【請求項４】
測定対象物が倒壊したときに、該倒壊による危険の有無を判定する倒壊範囲判定器であって、
測定用管体ユニットと、該測定用管体ユニットを保持するホルダーと、を備え、
前記測定用管体ユニットは、垂直に保持されると共に上端部が閉止され、且つ少なくとも一部が透明な第１の垂直管体、及び第２の垂直管体と、前記各垂直管体の下部に夫々両端部を連通接続された連設管体と、密封空間である前記第１及び第２の垂直管体、並びに前記連設管体内部に適量充填された液体と、前記第１及び第２の垂直管体の各透明部に夫々形成されて前記液体の規定液位を示す第１の液位目印及び第２の液位目印と、を備え、
前記第１及び第２の垂直管体内の液体の各液位が前記第１の液位目印及び第２の液位目印と一致した時に、前記第１及び第２の垂直管体が垂直姿勢になるように構成されており、
前記ホルダーは、前記第１及び第２の垂直管体の外側に配置されて各垂直管体を夫々垂直姿勢に保持するための第１の保持部材、及び第２の保持部材と、該第１の保持部材及び第２の保持部材間の距離を固定するベース部材と、を備えており、
前記第２の保持部材には前記第１の液位目印及び第1の保持部材の上部を視認するための覗き穴が形成されており、
前記第１の保持部材の上部は前記第２の保持部材よりも高い位置にあり、且つ該第１の保持部材の上部には前記覗き穴から測定対象物を視認可能にするための開口部が形成されており、前記第１の液位目印と前記第２の液位目印との間の直線距離に対する、前記第１の液位目印と前記開口部との間の直線距離が、所定の比率になるように設定されていることを特徴とする倒壊範囲判定器。
【請求項５】
前記第1の保持部材に、振り子の移動により傾斜を検知する傾斜計を設置し、前記覗き穴と前記傾斜計との間の直線距離に対する、前記傾斜計と前記開口部との間の直線距離が、所定の比率になるように設定したことを特徴とする請求項４に記載の倒壊範囲判定器。
【発明の詳細な説明】
【技術分野】
【０００１】
本発明は、倒壊範囲判定器に関し、さらに詳しくは、樹木等を伐採するときに、作業員が退避した位置が伐採された樹木による打撃を受けることがない安全な位置であるか否かを判定する倒壊範囲判定器に関するものである。
【背景技術】
【０００２】
電力会社の送電鉄塔は山間部に設置されている場合が多く、しかも、山間部には多くの樹木が生息しており、樹木の生長に伴って送電線との離隔距離が安全領域を超えるものが出てくる。そのような場合は、その樹木の先端を伐採したり、樹木そのものを伐採することが行われている。伐採時には、作業員は倒れた樹木から打撃を受ける虞のある危険範囲外へ退避しなければならないが、従来作業員は目測で安全距離を想定して退避していたに過ぎないため、目測を誤って伐採した樹木に接触するといった事故が発生していた。
上記事故を防止するために、特許文献１には、接眼孔と対物孔を設けた容器の中に液体を注入し、接眼孔から伐採樹木の先端が液を透過して見える場合は、倒壊危険範囲であると判定する倒壊範囲判定器について開示されている。
【先行技術文献】
【特許文献】
【０００３】
【特許文献１】特開２００７−１７２５９公報
【発明の概要】
【発明が解決しようとする課題】
【０００４】
しかし、特許文献１に開示されている従来技術は、危険倒壊範囲内であるときは、液体を透過して樹木を見るため、特に、夕方の暗いときは液体が半透明の場合、樹木を透視しづらいといった問題がある。
本発明は、かかる課題に鑑みてなされたものであり、樹木の伐採時に作業員が倒れた樹木から打撃を受けない安全範囲に確実に退避することができるように、簡易な方法で正確に倒壊危険範囲内であるか否かを判定することができる倒壊範囲判定器を提供することを目的としている。
【課題を解決するための手段】
【０００５】
本発明はかかる課題を解決するために、請求項１は、測定対象物が倒壊したときに、該倒壊による危険の有無を判定する倒壊範囲判定器であって、垂直に保持されると共に上端部が閉止され、且つ少なくとも一部が透明な第１の垂直管体、及び第２の垂直管体と、前記各垂直管体の下部に夫々両端部を連通接続された連設管体と、密封空間である前記第１及び第２の垂直管体、並びに前記連設管体内部に適量充填された液体と、前記第１及び第２の垂直管体の各透明部に夫々形成されて前記液体の規定液位を示す第１の液位目印、及び第２の液位目印と、前記第１の垂直管体の上部から垂直方向へ伸縮自在に支持された伸縮部材と、を備え、前記第１及び第２の垂直管体内の液体の液位が前記第１の液位目印及び第２の液位目印と一致した時に、前記第１及び第２の垂直管体が垂直姿勢になるように構成されており、前記第１の液位目印と前記第２の液位目印との間の直線距離に対する、前記第１の液位目印と前記伸縮部材先端部との間の直線距離が、所定の比率になるように設定したことを特徴とする。
本発明の倒壊範囲判定器は、夫々の液位目印間の距離に対して、第１の垂直管体に設けた液位目印と伸縮部材先端部との距離が、所定の比率になるように設定した。このように構成した倒壊範囲判定器の伸縮部材先端部の位置と測定対象物の先端位置とを比較することにより、測定対象物に対して近づき過ぎているか否かを判定する。これにより、簡易な方法により、測定対象物との離間距離が安全範囲か否かを即座に判定することができる。
【０００６】
請求項２は、前記連設管体は、伸縮自在に構成されていることを特徴とする。
測定者は、測定時に第１の垂直管体を手に持って伸縮部材先端部を測定対象物に向ける。従って、測定者の腕の長さに従って連設管体が伸縮するように構成されていることが好ましい。これにより、測定者の身体的特徴に合わせて連設管体の長さを調節することができる。
【０００７】
請求項３は、前記第２の垂直管体には、測定者のヘルメットに固定するための固定部が設けられていることを特徴とする。
第１と第２の垂直管体を同時に垂直に維持するために、一方の垂直管体を測定者の適所に固定する必要がある。そこで本発明では、第２の垂直管体に固定具を設けて、それをヘルメットに固定する。これにより、第１の垂直管体の規定液位の位置を片手で容易に操作することができる。
【０００８】
請求項４は、測定対象物が倒壊したときに、該倒壊による危険の有無を判定する倒壊範囲判定器であって、測定用管体ユニットと、該測定用管体ユニットを保持するホルダーと、を備え、前記測定用管体ユニットは、垂直に保持されると共に上端部が閉止され、且つ少なくとも一部が透明な第１の垂直管体、及び第２の垂直管体と、前記各垂直管体の下部に夫々両端部を連通接続された連設管体と、密封空間である前記第１及び第２の垂直管体、並びに前記連設管体内部に適量充填された液体と、前記第１及び第２の垂直管体の各透明部に夫々形成されて前記液体の規定液位を示す第１の液位目印及び第２の液位目印と、を備え、前記第１及び第２の垂直管体内の液体の液位が前記第１の液位目印及び第２の液位目印と一致した時に、前記第１及び第２の垂直管体が垂直姿勢になるように構成されており、前記ホルダーは、前記第１及び第２の垂直管体の外側に配置されて各垂直管体を夫々垂直姿勢に保持するための第１の保持部材、及び第２の保持部材と、該第１の保持部材及び第２の保持部材間の距離を固定するベース部材と、を備えており、前記第２の保持部材には前記第１の液位目印及び第１の保持部材の上部を視認するための覗き穴が形成されており、前記第１の保持部材の上部は前記第２の保持部材よりも高い位置にあり、且つ該第１の保持部材の上部には前記覗き穴から測定対象物を視認可能にするための開口部が形成されており、前記第１の液位目印と前記第２の液位目印との間の直線距離に対する、前記第１の液位目印と前記開口部との間の直線距離が、所定の比率になるように設定されていることを特徴とする。
本発明の倒壊範囲判定器は、夫々の液位目印間の距離に対して、第１の垂直管体に設けた液位目印と開口部との距離が、所定の比率になるように設定した。このように構成した倒壊範囲判定器の開口部から視認できる測定対象物の先端位置を視認することにより、測定対象物に対して近づき過ぎているか否かを判定する。これにより、簡易な方法により、測定対象物との離間距離が安全範囲か否かを即座に判定することができる。
【０００９】
請求項５は、前記第２の保持部材に、振り子の移動により傾斜を検知する傾斜計を設置し、前記覗き穴と前記傾斜計との間の直線距離に対する、前記傾斜計と前記開口部との間の直線距離が、所定の比率になるように設定したことを特徴とする。
第１と第２の垂直管体が夫々垂直状態であるか否かを見る方法として、水準器による方法が一般的である。しかし、水準器は常に液体を適量に維持する必要がある。そこで本発明では、水準器の代わりに、メカ的に動作する傾斜計を利用する。即ち、第１の保持部材が垂直な場合は、振り子は保持部材と平行になるはずである。その原理から、振り子の動きから第１の保持部材が垂直か否かを検知するものである。これにより、第１の保持部材の垂直性を比較的容易に視認することができる。
【発明の効果】
【００１０】
本発明によれば、高さ測定器の伸縮部材先端部の位置と測定対象物の先端位置とを比較することにより、測定対象物に対して近づき過ぎているか否かを判定するので、簡易な方法により、測定対象物との離間距離が安全範囲か否かを即座に判定することができる。
また、測定者の腕の長さに従って連設管体が伸縮するように構成されているので、測定者の身体的特徴に合わせて連設管体の長さを調節することができる。
また、第２の垂直管体に固定具を設けて、それをヘルメットに固定するので、第１の管体の規定液位の位置を片手で容易に操作することができる。
また、高さ測定器の開口部から視認できる測定対象物の先端位置を比較することにより、測定対象物に対して近づき過ぎているか否かを判定する。これにより、簡易な方法により、測定対象物との離間距離が安全範囲か否かを即座に判定することができる。
また、振り子の動きから第１の保持部材が垂直か否かを検知するので、第１の保持部材の垂直性を比較的容易に視認することができる。
【図面の簡単な説明】
【００１１】
【図１】本発明の第１の実施形態に係る倒壊範囲判定器の外観構造を示す図である。
【図２】（ａ）は本発明の第２の実施形態に係る倒壊範囲判定器の外観構造を示す図であり、（ｂ）は開口部に設けた基準線を示す図である。
【図３】（ａ）は本発明の第３の実施形態に係る倒壊範囲判定器の外観構造を示す図であり、（ｂ）は開口部に設けた基準線を示す図であり、（ｃ）は傾斜計の動作原理を示す図である。
【図４】本発明の倒壊範囲判定器を使用して、実際の測定を行う手順を示すフローチャートである。
【図５】本発明の倒壊範囲判定器を使用して、倒壊危険範囲内であるか否かを測定している様子を模式化して表した図である。
【発明を実施するための形態】
【００１２】
以下、本発明を図に示した実施形態を用いて詳細に説明する。但し、この実施形態に記載される構成要素、種類、組み合わせ、形状、その相対配置などは特定的な記載がない限り、この発明の範囲をそれのみに限定する主旨ではなく単なる説明例に過ぎない。
【００１３】
図１は本発明の第１の実施形態に係る倒壊範囲判定器の外観構造を示す図である。本実施形態の倒壊範囲判定器５０は、樹木（測定対象物）が倒壊したときに、倒壊による危険の有無を判定する倒壊範囲判定器であって、垂直に保持されると共に上端部がゴム栓１で閉止され、且つ少なくとも一部が透明な第１の垂直管体９、及び第２の垂直管体４と、各垂直管体４、９の下部に夫々両端部を連通接続された連設管体５と、密封空間である第１の垂直管体９及び第２の垂直管体４、並びに連設管体５内部に適量充填された液体７と、第１の垂直管体９及び第２の垂直管体４の各透明部に夫々形成されて液体７の規定液位を示す第１の液位目印６、及び第２の液位目印３と、第１の垂直管体９の上部から垂直方向へ伸縮自在に支持された伸縮部材８と、を備え、第１の垂直管体９及び第２の垂直管体４内の液体の液位が第１の液位目印６及び第２の液位目印３と一致した時に、第１の垂直管体９及び第２の垂直管体４が垂直姿勢になるように構成されており、第１の液位目印６と第２の液位目印３との間の直線距離Ｌに対する、第１の液位目印６と伸縮部材８の先端部Ｐとの間の直線距離Ｈが、所定の比率Ｍになるように設定した。本実施形態では、Ｍ＝１．５と設定する。但し、Ｍ＞１とする。
【００１４】
尚、連設管体５には、図に示すようにヘリカル状に構成した伸縮部を設ける。また、第１の垂直管体９、第２の垂直管体４、及び連設管体５には液体７が注入されているので、漏れないようにゴム栓１を設ける。但し、内部の空気が自由に出入りできるように、小さな穴を開けておく。これにより、液面が自由に移動することができる。
即ち、本実施形態の倒壊範囲判定器５０は、第１の垂直管体９と第２の垂直管体４を連設管体５により連通し、夫々の管体内に液体７を適量充填し、第１の垂直管体９及び第２の垂直管体４に規定液位を示す液位目印６、３を夫々設け、第１の垂直管体９の上部から垂直方向へ伸縮自在に支持された伸縮部材８を備え、夫々の液位目印３、６が一致したときに両垂直管体９、４が垂直姿勢となるように構成した。そして、夫々の液位目印３、６間の距離Ｌに対して、第１の垂直管体９に設けた液位目印６と伸縮部材８の先端部Ｐとの距離Ｈが、所定の比率（Ｍ＝１．５）になるように設定した。このように構成した倒壊範囲判定器５０の伸縮部材８の先端部Ｐの位置と樹木の先端位置とを比較することにより、樹木に対して近づき過ぎているか否かを判定する。これにより、簡易な方法により、樹木との離間距離が安全範囲か否かを即座に判定することができる。
【００１５】
また、連設管体５は、伸縮自在に構成されている。即ち、測定者は、測定時に第１の垂直管体９を手に持って伸縮部材先端部Ｐを樹木に向ける。従って、測定者の腕の長さに従って連設管体５が伸縮するように構成されていることが好ましい。これにより、測定者の身体的特徴に合わせて連設管体５の長さを調節することができる。また、第２の垂直管体４には、測定者のヘルメット等に固定するための固定部２が設けられている。即ち、第１垂直管体９と第２の垂直管体４を同時に垂直に維持するために、一方の垂直管体（第２の垂直管体４）を測定者の適所に固定する必要がある。そこで本実施形態では、第２の垂直管体４に固定具２を設けて、それをヘルメットに固定する。これにより、第１の垂直管体９の規定液位の位置を片手で容易に操作することができる。
【００１６】
図２（ａ）は本発明の第２の実施形態に係る倒壊範囲判定器の外観構造を示す図である。本実施形態の倒壊範囲判定器５１は、樹木（測定対象物）が倒壊したときに、倒壊による危険の有無を判定する倒壊範囲判定器５１であって、測定用管体ユニット１７と、測定用管体ユニット１７を保持するホルダー１９と、を備え、測定用管体ユニット１７は、垂直に保持されると共に上端部がゴム栓１１により閉止され、且つ少なくとも一部が透明な第１の垂直管体１７ａ、及び第２の垂直管体１７ｂと、各垂直管体１７ａ、１７ｂの下部に夫々両端部を連通接続された連設管体１７ｃと、密封空間である第１及び第２の垂直管体１７ａ、１７ｂ、並びに連設管体１７ｃ内部に適量充填された液体１６と、第１及び第２の垂直管体１７ａ、１７ｂの各透明部に夫々形成されて液体１６の規定液位を示す第１の液位目印１８及び第２の液位目印１３と、を備え、第１の垂直管体１７ａ及び第２の垂直管体１７ｂ内の液体の液位が第１の液位目印１８及び第２の液位目印１３と一致した時に、第１の垂直管体１７ａ及び第２の垂直管体１７ｂが垂直姿勢になるように構成されており、ホルダー１９は、第１の垂直管体１７ａ及び第２の垂直管体１７ｂの外側に配置されて各垂直管体を夫々垂直姿勢に保持するための第１の保持部材２１、及び第２の保持部材１５と、第１の保持部材２１及び第２の保持部材１５間の距離Ｌを固定するベース部材２０と、を備えており、第２の保持部材１５には第１の液位目印１３及び第１の保持部材２１の上部を視認するための覗き穴１４が形成されており、第１の保持部材２１の上部は第１の保持部材１５よりも高い位置にあり、且つ第１の保持部材２１の上部には覗き穴１４から樹木を視認可能にするための開口部２２が形成され、第１の液位目印１８と第２の液位目印１３との間の直線距離Ｌに対する、第１の液位目印１８と開口部２２との間の直線距離Ｈが、所定の比率（Ｍ＝１．５）になるように設定されている。
【００１７】
即ち、本実施形態の倒壊範囲判定器５１は、第１の垂直管体１７ａと第２の垂直管体１７ｂを連設管体１７ｃにより連通し、夫々の管体内に液体１６を適量充填し、第１の垂直管体１７ａ及び第２の垂直管体１７ｂに規定液位を示す液位目印１８、１３を夫々設け、第１の垂直管体１７ａと第２の垂直管体１７ｂをホルダー１９により支持し、夫々の垂直管体１７ａ、１７ｂを垂直姿勢に保持する第１の保持部材２１及び第２の保持部材１５と、これらを固定するベース部材２０を備え、第２の保持部材１５には第１の液位目印１８と第１の保持部材２１の上部に設けられた開口部２２とを視認する覗き穴１４を備え、夫々の液位目印１３、１８が一致したときに両垂直管体１７ａ、１７ｂが垂直姿勢となるように構成した。そして、夫々の液位目印間の距離Ｌに対して、第１の垂直管体１７ａに設けた液位目印１８と開口部２２との距離Ｈが、所定の比率（Ｍ＝１．５）になるように設定した。このように構成した倒壊範囲判定器５１の開口部２２から視認できる樹木の先端位置とを比較することにより、樹木に対して近づき過ぎているか否かを判定する。これにより、簡易な方法により、樹木との離間距離が安全範囲か否かを即座に判定することができる。尚、開口部２２は、図２（ｂ）に示すように、樹木の先端に一致する基準線２２ａを設ける。
【００１８】
図３（ａ）は本発明の第３の実施形態に係る倒壊範囲判定器の外観構造を示す図である。同じ構成要素には図２と同じ参照番号を付して説明する。本実施形態の倒壊範囲判定器５２が図２（ａ）と異なる点は、水平検知手段の構成が異なる点である。即ち、本実施形態に係る水平検知手段は、振り子３１の移動により傾斜を検知する傾斜計３０であり、傾斜計３０を開口部２２を設けた第１の保持部材２１に設置し、覗き穴１４と傾斜計３０との距離Ｌに対して、傾斜計３０から開口部２２までの距離Ｈを、所定の比率Ｍ（Ｍ＝１．５）になるように設定した。尚、第２の保持部材１５と第１の保持部材２１は、ベース部材２０に対して直角に構成されているので、底面２０が水平であれば、振り子３０は第１の保持部材２１と平行になる。この原理により、覗き穴１４から覗いたときに、傾斜計３０が水平を示していることを目視できるように、例えば、傾斜計３０の振り子３１の動きに連動して、図３（ｃ）に示すように、指示部３２が基準位置３３を指すように構成することにより、覗き穴１４から倒壊範囲判定器５２の水平状態を確認することができる。
即ち、第１の垂直管体１７ａと第２の垂直管体１７ｂが夫々垂直状態であるか否かを見る方法として、水準器による方法が一般的である。しかし、水準器は常に液体を適量に維持する必要がある。そこで本実施形態では、水準器の代わりに、メカ的に動作する傾斜計３０を利用する。即ち、第１の保持部材２１が垂直な場合は、振り子３１は第１の保持部材２１と平行になるはずである。その原理から、振り子３１の動きから第１の保持部材２１が垂直か否かを検知するものである。これにより、第１の保持部材２１の垂直性を比較的容易に視認することができる。
【００１９】
図４は本発明の倒壊範囲判定器を使用して、実際の測定を行う手順を示すフローチャートである。ここでは、図１の第１の実施形態の倒壊範囲判定器５０を使用した場合について説明し、液体７が充填された管体部分を水準器と呼ぶ。まず、水準器の液量が液位目印３と液位目印６の位置になるようにゴム栓１から液体７を注入する（Ｓ１）。次に水準器のヘルメット取付具２を測定者が被ったヘルメットに取り付けて、目印３が目の位置にくるように位置を調整する（Ｓ２）。次に測定者の腕を伸ばした距離Ｌを測定し、目印６から伸縮部材８の先端Ｐまでの距離Ｈを、Ｈ＝Ｌ／１．５になるように設定する（Ｓ３）。例えば、腕の長さＬが６０ｃｍの場合は、Ｈは４０ｃｍとなる。もし、測定者が決まっているのであれば、予め伸縮部材８を伸ばす長さに目印を付けておくことにより、作業効率を上げることができる。次に、測定者は腕を伸ばして液位目印６に液体７の水面がくるように水準器を上下する（Ｓ４）。液体７の水面が液位目印６に一致すると、液位目印３も同時に水面が一致することになり、水準器が水平になったことを確認することができる。次に、その状態を維持しながら、伸縮部材８の先端Ｐと樹木の先端位置との関係を見る（Ｓ５）。もし、伸縮部材８の先端Ｐが樹木の先端より上であれば（Ｓ７でＹ）、倒壊危険範囲外であることを確認することができる（Ｓ７）。一方、ステップＳ６で伸縮部材８の先端Ｐが樹木の先端より下であれば（Ｓ７でＮ）、倒壊危険範囲内であるので（Ｓ８）、測定者は樹木より遠ざかって（Ｓ９）、ステップＳ５に戻って、倒壊範囲外になるようにする。
【００２０】
図５は本発明の倒壊範囲判定器を使用して、倒壊危険範囲内であるか否かを測定している様子を模式化して表した図である。図５（ａ）は、測定者が伐採する樹木に対して最適な位置に退避した様子を示す図である。測定者４４は予め図４のステップＳ４までの作業が終了したものとする。この位置では、測定者４４の目４２から伸縮部材８の先端Ｐを見たときに、樹木４３の先端Ａより若干上に見えるため、測定者４４は、樹木４３が伐採しても、樹木４３に接触することがなく安全な場所にいるといえる。
図５（ｂ）は、測定者が伐採する樹木に対して近すぎる位置に退避した様子を示す図である。測定者４４は予め図４のステップＳ４までの作業が終了したものとする。この位置では、測定者４４の目４２から伸縮部材８の先端Ｐを見たときに、樹木４３の先端Ａより下に見えるため、測定者４４は、樹木４３を伐採した場合、樹木４３に接触する危険性があり、矢印Ｂの方向に遠ざかる必要があるといえる。従って、伸縮部材８の先端Ｐを見ながら遠ざかり、一旦、停止して再度、伸縮部材８の先端Ｐを覗いて、図５（ａ）の位置関係であることを確認する。
図５（ｃ）は、測定者が伐採する樹木に対して遠ざかった位置に退避した様子を示す図である。測定者４４は予め図４のステップＳ４までの作業が終了したものとする。この位置では、測定者４４の目４２から伸縮部材８の先端Ｐを見たときに、樹木４３の先端Ａよりかなり上に見えるため、測定者４４は、樹木４３を伐採しても、樹木４３に接触することがなく十分安全な場所にいるといえる。従って、このままでも良いが、近づいて伐採を確認したい場合は、伸縮部材８の先端Ｐを見ながら近づき、一旦、停止して再度、伸縮部材８の先端Ｐを覗いて、図５（ａ）の位置関係であることを確認してもよい。
【符号の説明】
【００２１】
１  ゴム栓、２  ヘルメット取付具、３、６  液位目印、４  第２の垂直管体、５  連設管体、８  伸縮部材、９  第１の垂直管体、１１  ゴム栓、１２  測定者の目、１３  第２の液位目印、１４  覗き穴、１５  第２の保持部材、１６  液体、１７ａ  第１の垂直管体、１７ｂ  第２の垂直管体、１７ｃ  連設管体、１８  第１の液位目印、１９  ホルダー、２０  ベース部材、２１  第１の保持部材、２２  開口部、２２ａ  基準線、３０  傾斜計、３１  振り子、３２  指示部、３３  基準位置、４０  ヘルメット、４１  腕、４２  測定者の目、４３  樹木、４４  測定者、５０  倒壊範囲判定器  
【図１】
2012107951.tif 000003
【図２】
2012107951.tif 000004
【図３】
2012107951.tif 000005
【図４】
2012107951.tif 000006
【図５】
2012107951.tif 000007